(57)【要約】【課題】  ストロボ装置のオートポップアップを構成する場合、動力となるソレノイドの配置の制約からカメラの高さ方向の寸法を小さくすることが困難であったり、係止手段の位置がストロボユニットの回転中心近傍にしか配置できないため、ストロボユニット先端付近では外装部品との隙間が付均一となり、別途隙間調整機構を追加する必要があった。【解決手段】  発光ユニットを収納位置にて係止する係止部材が、カメラ正面から見てレンズマウントより上方でペンタ部より光軸方向前方に配置され、係止部材を駆動するソレノイドは、中心軸がカメラの上下方向で、かつレンズ着脱可能に配置されたマウント部より光軸方向後方に配置され、回転可能な駆動力伝達部材が、マウント部より光軸方向後方で、回転軸が光軸方向に配置され、一端がソレノイドの出力軸と係合し、他端が係止部材と係合している。【選択図】  図１
2005345615.tif 000002
【特許請求の範囲】
【請求項１】
収納位置と発光位置との間を移動可能に回転軸支された発光ユニットを備えたストロボ内蔵カメラにおいて、
前記発光ユニットを収納位置にて係止する係止部材が、カメラ正面から見てレンズ着脱のためのマウント部より上方でペンタ部より光軸方向前方に配置され、前記係止手段を駆動する駆動部材であるところのソレノイドは、中心軸がカメラの上下方向で、かつ前記マウント部より光軸方向後方に配置され、
回転可能な駆動力伝達部材が、マウント部より光軸方向後方であって、回転軸が光軸方向に配置され、一端が前記ソレノイドの出力軸と係合し、他端が前記係止部材と係合していることを特徴とするストロボ内蔵カメラ。
【請求項２】
前記駆動力伝達部材と前記係止部材との係止部がカムとピンにより構成されており、該ピンと当接するカム面の一部がピン側に中心位置を有した円弧形状をしていること特徴とする請求項１記載のストロボ内蔵カメラ。
【請求項３】
前記駆動力伝達部材には、前記回転軸より前記係止部材側に錘部材を有することを特徴とする請求項１記載のストロボ内蔵カメラ。
【発明の詳細な説明】
【技術分野】
【０００１】
本発明は、使用状態と非使用状態とで所定の軸を中心に回動するストロボを内蔵したカメラ、特に、発光位置側に付勢する付勢部材の付勢力に抗して収納待機位置に係止しておく係止状態と、該係止を解除する状態とに移動可能な爪部を有する係止部材と、該係止部材を駆動するソレノイドと、ソレノイドから係止部材まで駆動力を伝達する駆動力伝達部材を備えたストロボ内蔵カメラに関するものである。
【背景技術】
【０００２】
従来、この種のストロボ内蔵カメラのポップアップ機構としては、特許文献１に示すようにソレノイドを駆動して、引っ張りバネの力に抗して係止手段を解除するように構成されている。
【０００３】
また、別の構成として特許文献２に示すようにモ−タを駆動源として、該モ−タからの駆動力を、遊星機構を介してカムギヤトレインに伝達しトグルバネを反転させ、ストロボをポップアップさせる構成が知られている。
【特許文献１】特開平１０−０３９３７４号公報
【特許文献２】特開平０９−０４３６８５号公報
【発明の開示】
【発明が解決しようとする課題】
【０００４】
しかしながら、前記特許文献１の場合、ソレノイドの配置の制約からカメラの高さ方向の寸法を小さくすることが困難であったり、係止部材の位置がストロボユニットの回転中心近傍にしか配置できないため、ストロボユニット先端付近では外装部品との隙間が付均一となり、別途隙間調整機構を追加する必要があった。このため生産工場での調整工程が発生し不良率も上がってしまい、コストがかさむという欠点があった。
【０００５】
また、大型のソレノイドを配置することが困難であり、緊定の付勢力を弱くし、小型のソレノイドの吸引力でも作動できるように設定する必要がある。このため係止が解除しやすく、ストロボが不用意にポップアップしてしまうという欠点もあった。
【０００６】
また、係止手段の係止爪が一つしかないために、負荷が加わると破損しやすいという欠点もある。
【０００７】
そこで、本出願に係る第１の発明の目的は、ソレノイドの配置をカメラ上部からマウント後方に変更することで、カメラの高さ方向の寸法を小さくすることができ、ストロボが衝撃等で簡単にポップアップすることがない信頼性を向上させたストロボ内蔵カメラを提供することを目的とする。
【０００８】
本出願に係る第２の発明の目的は、カメラ前面、マウント上部に係止爪が複数あるストロボ係止部品を配置することで、ストロボユニット先端部の隙間調整用の専用部品を使用する必要がないのでコストダウンが可能で、隙間を均一かつ少なくすることができる。また係止爪の破損を防止することが可能なストロボ内蔵カメラを提供することを目的とする。
【課題を解決するための手段】
【０００９】
本出願に係る発明の目的を実現する第１の構成は、収納位置と発光位置との間を移動可能に回転軸支された発光ユニットを備えたストロボ内蔵カメラにおいて、
前記発光ユニットを収納位置にて係止する係止部材が、カメラ正面から見てレンズ着脱のためのマウントより上方でペンタ部より光軸方向前方に配置され、前記係止部材を駆動する駆動手段であるところのソレノイドは、中心軸がカメラの上下方向で、かつ前記マウント部より光軸方向後方に配置され、
回転可能な駆動力伝達部材が、マウント部より光軸方向後方であって、回転軸が光軸方向に配置され、一端が前記ソレノイドの出力軸と係合し、他端が前記係止部材と係合していることを特徴とする。
【００１０】
本出願に係る発明の目的を実現する第２の構成は、前記駆動力伝達部材と前記係止部材との係止部がカムとピンにより構成されており、該ピンと当接するカム面の一部がピン側に中心位置を有した円弧形状をしていることを特徴とする。
【００１１】
本出願に係る発明の目的を実現する第３の構成は、前記駆動力伝達部材には、前記回転軸より前記係止部材側に錘部材を有することを特徴とする。
【発明の効果】
【００１２】
本出願に係る発明の目的を実現する第１の構成によれば、カメラ上部にソレノイドを配置することがないので、カメラの高さ方向の寸法を小さくすることができる。
【００１３】
また、大型で吸引力の強いソレノイドの配置が可能で、バネ付勢された係止部品の解除力を増加させ、ストロボが衝撃等で簡単にポップアップすることがない。
【００１４】
また、ストロボユニット先端部の隙間調整用の専用部品を使用することないのでコストダウンが可能で、隙間を均一かつ少なくすることができる。
【００１５】
本出願に係る発明の目的を実現する第２の構成によれば、レバー比（回転中心からソレノイド出力軸と回転中心から係止部品までの距離の比）を変更することなく、係止部品の移動量を増加させることができるので、ソレノイドの吸引力の減少を抑え係止部品のストロークを増加させることができる。
【００１６】
本出願に係る発明の目的を実現する第３の構成によれば、カメラを落下させた際、ソレノイドの鉄心の慣性を相殺することが可能で、ストロボが不用意にポップアップすることがなく、信頼性を向上させることができる。
【発明を実施するための最良の形態】
【００１７】
図１は本発明の特徴を最もよく表す機構配置斜視図、図２は本発明の係止解除機構を用いたカメラの外観斜視図、図３（ａ）はカメラ本体内部構成を示す正面図、図３（ｂ）は同様の上面図、図４（ａ）はストロボがポップダウンした状態の正面図、図４（ｂ）はストロボがポップアップした状態の正面図、図５はストロボ係止解除機構の駆動部から係止部材までの機構配置斜視図、図６はストロボユニットの外装部品をはずした状態の斜視図、図７はストロボ発光部を含むカメラ上外装ユニットの構成配置斜視図、図８は係止解除機構とストロボ発光部ユニットまでの背面図、図９（ａ）はストロボ発光部がポップダウン位置にあるときの係止解除機構の動力伝達部分の拡大図、図９（ｂ）はストロボ発光部がポップアップ位置にあるときの係止解除機構の動力伝達部分の拡大図である。
【００１８】
図１乃至図７を用いて、本発明に懸かるストロボ駆動メカの構成について説明する。
【００１９】
図２において、１は本発明の係止解除機構を用いたカメラ、２はカメラの上部に設けられ係止解除機構により係止されるストロボユニット、３は前記カメラ１の上部外装、４は撮影モードを変更するためのダイヤル、５は撮影操作時に押されるレリーズボタン、６はカメラ１の前部外装、７はカメラ１に対し着脱可能な撮影レンズ鏡筒、Ｅは撮影光軸、８は係止解除機構を手動で解除するための解除ボタンを示している。
【００２０】
図１において、９は前記撮影レンズ鏡筒７を着脱可能に保持するためのレンズマウント、１２は撮影レンズ７からの光をファインダへ導くためのＥ面ミラ−、１３は同様のペンタ部で、複数のミラーあるいはプリズムから成る。１１はフィルムへの露光を制御するシャッタ（不図示）を駆動するシャッタ駆動ユニット、３５はストロボユニット２を収納位置から発光位置へ移動させるため、係止手段を解除する動力源であるところのソレノイド、３２は駆動伝達手段を構成する動力伝達レバー、３４はソレノイド３５と動力伝達レバー３２を保持するソレノイド地板である。３３は、動力伝達レバー３２をソレノイド地板３４に回動可能にかしめるカシメピン、３０は、ストロボユニット２を収納位置に係止する係止手段であるところのフックレバーである。
【００２１】
以上の各部品は、前板１０に組み付けられユニット状態でカメラ本体１４にビス締めされる。
【００２２】
次に、ストロボユニット２の係止手段解除機構の構成について説明する。
【００２３】
前記ソレノイド３５は、レンズマウント９の後方で、前板１０の側面とシャッタ駆動ユニット１１、スプール室１５に囲まれる空間に配置され、その出力軸３５ａ（図５）はカメラ上下方向を向いている。この状態で、ソレノイド３５の出力軸３５ａと動力伝達レバー３２の入力部３２ｃが係合するように、ソレノイド地板３４にソレノイドビス３６にてビス締めされ、ユニット状態で前板１０にビス締め固定される。
【００２４】
フックレバ−３０は、レンズマウント９の上部でカメラ１の前面側に配置され、
前板１０に設けたＬ字状の突起部１０ａ、１０ｂがフックレバー３０の穴部３０ｄ、３０ｅに嵌合し、左右方向に摺動可能に組付けられる。また、フックレバー３０の入力軸と動力伝達レバー３２の出力部３２ａとが係合するように配置される。
【００２５】
この状態で、フックレバー３０のバネ掛３０ｆと前板１０のバネ掛突起部との間に、引張りバネ３１を掛け、フックレバー３０をカメラ正面に向かって右側に付勢している。
【００２６】
動力伝達レバー３２は、先に述べたように入力部３２ｃとソレノイド３５の出力軸３５ａ、出力部３２ａとフックレバー３０の入力軸３０ｇとがそれぞれ係合しカシメピン３３に回動可能に組み付けられソレノイド３５の下方向の引っ張り力を左右方向に変換している。
【００２７】
このとき、動力伝達レバー３２の出力部３２ａとフックレバー３０の入力軸３０ｇがカメラに向かって右側（図９では背面視しているため左側）のカム面３２ｂと当接してフックレバー３０を移動させる。
【００２８】
ここでカム面３２ｂは、フックレバー３０の移動量を出すために入力軸３０ｇ側に中心を持つ円弧状を呈している。
【００２９】
また、動力伝達レバー３２にはカシメピン３３からフックレバー３０寄りに錘部材３７が固着され、これによりカメラを落下させた際にソレノイド３５の出力軸３５ａの慣性力に抗する反力を発生することができるので、落下衝撃による係止外れを防止し、結果的に不用意なストロボポップアップを防止することができる。
【００３０】
次に、ストロボユニット２の内部構成について図６を用いて説明する。
【００３１】
４１は、ストロボ光を拡散させる発光パネル、４４は、発光部であるところのキセノン管である。４３は、キセノン管４４からの光を反射させる反射笠、４５は、キセノン管４４を反射傘側に付勢保持するキセノン管ゴムである。４７は、前記発光パネル４１に挿入され、ストロボ発光の光を導光するグラスファイバ、４６は実装素子、４９は不図示のリード線がストロボケース４２に固着され、ストロボユニット２を発光位置側へ付勢するト−ションバネである。該ト−ションバネ４９は、回転中心であるところのビス４８によって上部外装３に回動可能に保持されてる。外装を構成するストロボカバ−４０は、ストロボケ−ス４２にビス止め固定することで、ストロボユニット２はカメラ１の上部でカメラ上部外装３に組み付けられる。
【００３２】
次に、ストロボユニット２が収納待機位置から発光位置へ移動する際の動きについて説明する。上記構成により図２や図４（ａ）のようにストロボユニット２が収納位置にあるとき、撮影者がレリーズボタン５を押すと、不図示のカメラの中央処理装置であるＣＰＵからの命令によりソレノイド３５に一定の電圧がかけられる。これにより、出力軸３５ａをカメラ下方に吸引し、動力伝達レバー３２の入力部３２ｃを引き下げる。吸引力が動力伝達レバー３２の回転によりカメラの上下方向から左右方向へと変換され、フックレバー３０の入力軸３０ｇをカメラ正面に向かって左方向へと移動させる。このときフックレバー３０は、引張りバネ３１の力に抗して引っ張られ係止爪３０ａ、３０ｂがストロボユニットの係止部４２ａ、４２ｂから解除される。この動作によりストロボユニットはトーションバネ４９の力により発光位置まで持ち上がり、上部外装３に設けた不図示のストッパとストロボケース４２のストッパ部４２ｃが当接して停止する。実際にはストッパ部４２ｃは、左右で一対設けられているが一方は図示を省略している。
【００３３】
以上のような構成により、カメラ側で自動的にストロボをポップアップさせる。
【００３４】
次に手動によるストロボポップアップについて説明する。撮影者が自分の意志でストロボをポップアップさせたいときには、前部外装６に組みつけられた解除ボタン８を押すことにより、解除ボタン８の奥に形成された凸部がフックレバー３０の当接面３０ｃに当接し、引張りバネ３１の力に抗してフックレバー３０をカメラ１の正面に向かって左側に移動させる。そして、係止爪３０ａ、３０ｂがストロボユニットの係止部４２ａ、４２ｂから解除されることによりストロボユニットはトーションバネ４９の力により発光位置まで持ち上がり上部外装３に設けた不図示のストッパとストロボケース４２のストッパ部４２ｃが当接して停止する。
【図面の簡単な説明】
【００３５】
【図１】本発明の実施形態で、係止解除機構とストロボユニットの機構配置斜視図である。
【図２】本発明の実施形態で、カメラの外観斜視図である。
【図３】（ａ）は本発明の実施形態で、カメラ本体内部構成を示す正面図である。（ｂ）は本発明の実施形態で、カメラ本体内部構成を示す上面図である。
【図４】（ａ）は本発明の実施形態で、ストロボがポップダウンした状態の正面図である。（ｂ）は本発明の実施形態で、ストロボがポップアップした状態の正面図である。
【図５】本発明の実施形態で、ストロボ係止解除機構の駆動部から係止部品までの機構配置斜視図である。
【図６】本発明の実施形態で、ストロボ発光部ユニットの外装部品をはずした斜視図である。
【図７】本発明の実施形態で、ストロボ発光部を含むカメラ上部外装ユニットの構成配置斜視図である。
【図８】本発明の実施形態で、係止解除機構とストロボ発光部ユニットまでの背面図である。
【図９】（ａ）は本発明の実施形態で、図８のストロボ発光部がポップダウン位置にあるときの係止解除機構の動力伝達部分の拡大図である。（ｂ）は本発明の実施形態で、図８のストロボ発光部がポップアップ位置にあるときの係止解除機構の動力伝達部分の拡大図である。
【符号の説明】
【００３６】
１  カメラ
２  ストロボユニット
Ｅ  撮影光軸
９  マウント
１４  本体
３２  動力伝達レバー
３４  ソレノイド地板
３５  ソレノイド
３６  ソレノイドビス
３７  錘部材
４０  ストロボカバー
４１  発光パネル
４２  ストロボケース
４４  キセノン管
【図１】
2005345615.tif 000003
【図２】
2005345615.tif 000004
【図３】
2005345615.tif 000005
【図４】
2005345615.tif 000006
【図５】
2005345615.tif 000007
【図６】
2005345615.tif 000008
【図７】
2005345615.tif 000009
【図８】
2005345615.tif 000010
【図９】
2005345615.tif 000011